(57)【要約】      （修正有）【課題】炊事の際に熱くなった鍋等をつかむ際に、手で容易につかむことができる鍋つかみの、汚れを防いだり劣化を防止するための鍋つかみカバーを提供する。【解決手段】鍋つかみカバー１は、縦横に伸び縮みする伸縮自在の布生地で形成され、手の親指を挿入する親指挿入部２と、手の人差し指、中指、薬指、小指をいっしょに挿入する四指挿入部３と、手の手首を覆う手首部４とを有し、概ね筒状で手袋状の形状を有することを特徴とする。【選択図】図１
0003200273.tif 000002
【実用新案登録請求の範囲】
【請求項１】
伸縮自在の布生地で形成され、手の親指を挿入する親指挿入部２と、手の人差し指、中指、薬指、小指をいっしょに挿入する四指挿入部３と、手の手首を覆う手首部４とを有し、概ね筒状で手袋状の形状を有することを特徴とする鍋つかみカバー。
【考案の詳細な説明】
【技術分野】
【０００１】  本考案は、炊事の際に熱くなった鍋等をつかむ際に、手が熱くならないよう手で容易に鍋等をつかむことができる鍋つかみの、汚れを防止したり劣化を防止するための鍋つかみカバーに関するものである。
【背景技術】
【０００２】  従来、布製素材からなる適宜厚み部を有した筒状形状の本体の両端を伸縮自在に形成したことを特徴とした鍋つかみ付カバー（特許文献１）が知られていた。【０００３】  又、図１、図２、図３で示す３種類の従来からある鍋つかみの例で示すように、従来からの鍋つかみは、綿等を布地でくるんで厚みを増し、柔軟性と断熱性を備えた筒状で手袋状の形状を有するものが多く用いられていた。
【先行技術文献】
【特許文献】
【０００４】
【特許文献１】実開昭６３−１３１７１７号公報
【考案の概要】
【考案が解決しようとする課題】
【０００５】  特許文献１による従来の鍋つかみ付カバーでは、鍋つかみ部が腕カバーと一体化した構造であり、鍋をつかむ部分で鍋等をつかむと、鍋等に付着した油汚れなどが鍋をつかむ部分に付着したり、鍋等をつかむ際には鍋をつかむ部分のほぼ同じ部分を使用してつかむので、生地の同じ部分のみが劣化してしまうといった課題を有する。【０００６】  さらには、従来からの鍋つかみでは、柔軟性と断熱性を備えるために綿等が中に施されて厚みを増しているため、生地が厚いので汚れても洗濯がしにくく、乾きにくく、洗うことにより中の綿が乾燥するとごわごわの肌触りとなり、使いにくくなるといった課題を有するのである。【０００７】  本考案は前記のような課題を解決するもので、従来からの鍋つかみにカバーを装着することにより鍋つかみに汚れを付着させず、鍋つかみの生地の劣化を防ぎ、洗濯がしやすく、洗濯しても肌触りに変化がない鍋つかみカバーを提供するものである。
【課題を解決するための手段】
【０００８】  本考案の鍋つかみカバーは、縦横に伸び縮みする伸縮自在の布生地で形成され、手の親指を挿入する親指挿入部２と、手の人差し指、中指、薬指、小指をいっしょに挿入する四指挿入部３と、手の手首を覆う手首部４とを有し、概ね筒状で手袋状の形状を有することを特徴とする。
【考案の効果】
【０００９】  本考案の鍋つかみカバー１を使用すれば、従来からの鍋つかみ５をすっぽりと覆い隠すカバーであるので、鍋等に付着した汚れは鍋つかみカバー１に付着するのみで鍋つかみ５には付着しないと共に、鍋つかみ５の生地の劣化を防止して傷めることはないといった効果を有するのである。【００１０】  また、鍋つかみカバー１は生地が薄いので洗濯が容易であり、洗ったあとの肌触りも変化がないので、何回洗濯しても使いやすいといった効果を有する。【００１１】さらには、鍋つかみカバー１は縦横に伸び縮みする伸縮自在の生地で形成されているので、使用する鍋つかみ５の形状に左右されることが少なく、どのような形状の鍋つかみ５にもフィットさせることができるといった効果を有するのである。
【図面の簡単な説明】
【００１２】
【図１】図１は鍋つかみカバーの説明図
【図２】図２は従来の鍋つかみの一例図Ａ
【図３】図３は従来の鍋つかみの一例図Ｂ
【図４】図４は従来の鍋つかみの一例図Ｃ
【考案を実施するための形態】
【００１３】  本考案の鍋つかみカバーについて図面を参照して詳細に説明する。
【００１４】  図２は従来の鍋つかみの一例図Ａで概ねミトン形の手袋形状をした鍋つかみ５の例であり、図３は従来の鍋つかみの一例図Ｂで親指挿入部２と四指挿入部３とが向かい合っている形状の鍋つかみ５の例であり、図３は従来の鍋つかみの一例図Ｃで親指挿入部２と四指挿入部３とがほぼ同じ大きさで向かい合っている形状の鍋つかみ５例である。
【００１５】  図示した３種類の従来の鍋つかみ５は、鍋等の大きさに応じて片手または両手に嵌めて使用するが、手首部４から手を差し込んで手の親指は親指挿入部２に、手の人差し指と中指、薬指、小指の四指は四指挿入部３に差し入れて、熱くなった鍋等を持つのに使用すれば良いのである。不必要な場合には引掛け部６によりどこかに引掛けておくなり、引き出し等に収納しておけば良い。
【００１６】  従来の鍋つかみ５は、ニット生地やデニム生地、ナイロンやポリエステル等の生地で製作されており、二重にした生地の中に綿等を詰め込んで厚みを厚くし、鍋つかみ５の柔軟性と断熱性を持たせているので、鍋つかみ５を手に嵌めて使用することにより、熱くなった鍋等を手軽に上手に持ち上げることができるのである。
【００１７】しかしながらこれら従来の鍋つかみ５は、鍋等をつかむ際には鍋つかみ５のほぼ同じ部分を使用してつかむので、鍋つかみ５の生地の同じ部分のみがこすれて劣化したり、柔軟性と断熱性を備えるために綿等が中に施されているため、生地が厚いので汚れても洗濯がしにくく、洗濯しても中の綿が乾燥することにより肌触りがごわごわとなり、使いにくくなってしまうのである。
【００１８】  そこで本考案は前記のような課題を解決するもので、本考案の鍋つかみカバー１の構造を説明すれば、鍋つかみカバー１は概ね従来の鍋つかみの一例図Ｂと同等の形状をしており、縦横に伸び縮みする伸縮自在の薄い布生地で形成され、手の親指を挿入する親指挿入部２と、手の人差し指、中指、薬指、小指をいっしょに挿入する四指挿入部３と、手の手首を覆う手首部４とを有し、概ね筒状で手袋状の形状を有している。
【００１９】  本考案の鍋つかみカバー１を使用するときは、従来からの鍋つかみ５を手に嵌めた後に本考案の鍋つかみカバー１を鍋つかみ５の上に覆いかぶせるように嵌めて使用すれば良いのである。
【００２０】  本考案の鍋つかみカバー１は、従来の鍋つかみの一例図Ｂと概ね同等の形状をしているが、伸縮自在の薄い布地で形成されているので、従来の鍋つかみの一例図Ａや従来の鍋つかみの一例図Ｃの形状の従来の鍋つかみ５を使用しても、生地の伸縮性により異なる形状の鍋つかみ５にも良くフィットして使用することができるのである。
【００２１】  本考案の鍋つかみカバー１を使用すれば、従来からの鍋つかみ５をすっぽりと覆い隠すカバーであるので、鍋等に付着した汚れは鍋つかみカバー１に付着するのみで鍋つかみ５には付着しないと共に、鍋つかみ５の生地を劣化させて傷めることはないので、従来からの鍋つかみ５を長期間にわたり使用することができるのである。
【００２２】  また、鍋つかみカバー１は生地が薄いので洗濯が容易であり、洗ったあとの肌触りも変化がないので、何回洗濯しても使いやすく、汚れがひどくなったり劣化が多くなっても交換するのは安価な鍋つかみカバー１のみで済むのである。
【符号の説明】
【００２３】      １  鍋つかみカバー
２  親指挿入部
３  四指挿入部
４  手首部
５  鍋つかみ
６  引掛け部
【図１】
0003200273.tif 000003
【図２】
0003200273.tif 000004
【図３】
0003200273.tif 000005
【図４】
0003200273.tif 000006